(57)【特許請求の範囲】
【請求項１】
電池ボックス、変速可能モーター、モーター回転速度調節装置、モーター回転数低減ギアボックス、該モーター回転数低減ギアに直結する、直線部、湾曲部及び直線部をその順に有するアーム、及びアームに接続される竿先部材を備え、前記アーム又は前記竿先がスムーズに回転可能な大きめの穴と釣り糸の通る穴の二つの穴を設けた大小二枚のプラスチック板を、大のプラスチック板の大きめの穴にアームを、小のプラスチック板の大きめの穴に竿先を挿通することによって取り付けた、竿先を自在に揺動させることのできる自動魚釣装置。
【請求項２】
アームの先端に差し込み、それ自体は自在に回転するが、抜け出しおよび下部への移動を止める止めの付いた円筒状の連結部を有する請求項１に記載の装置
【請求項３】
円筒状の連結部に空洞構造を持ち、先の柔らかな穂先をはめこむ請求項１の装置
【請求項４】
アームの途中にあり、アームが貫通し、この中をアームが自在に回転すると共に、これ自体がモーター部に移動するのを防止するための止めを有する球状の物体を持つ請求項１の装置
【請求項５】
はめこまれた穂先の先端に小のプラスチック板のはずれを防止するための固定した球状の物体、さらに前記のプラスチック板下に、竿の穂先部分が自在に回転する穴の開いた球、さらにその下に、この球の下部への移動を防ぐための止めを持つ請求項４に記載の装置。
【発明の詳細な説明】
【技術分野】
【０００１】本発明は、電圧の変化により、モーターの回転速度を変えると共に、直線部、湾曲部、直線部を有するアームを可動させることにより、竿先の揺動を促し、魚を誘いその採餌欲を刺激し釣果の増大を図るものである。
【背景技術】
【０００２】今までの揺動による魚釣装置、竿駆動装置はその構造が複雑であり、製作に手間かかかると共にその動きが、上下運動という単調な動きであり、魚の採餌欲を誘うことには不十分さが見られた。
【特許文献】特開平７−２５０６００号広報
【特許文献】特開平８−３３２０１１号広報
【特許文献】特開平１０−２７６６１４号広報
【特許文献】特開２００１−１６１２４３号広報
【特許文献】特開２００４−３５７６２５号広報
【特許文献】特開２００６−２６２７３７号広報
【特許文献】実用新案出願公開  昭５２−１４８７８４号広報
【発明の開示】
【発明が解決しようとする課題】
【０００３】今までの揺動による魚釣、竿駆動装置は、モーターとカムの組み合わせにより、竿を上下運動させることにより、魚の採餌欲を誘い、釣果の増大を図ると共に、釣りに要する労力の軽減を図ろうとするものであった。
【課題を解決するための手段】
【０００４】本発明は、動力源としての電池、電圧の加減調節装置、減速調節用ギア付きモーター、直線部、湾曲部、直線部を有するアームおよび、これらの動きを適格に竿の動きとして伝えることのできる部品により構成されるものである。
【発明の効果】
【０００５】直線部、湾曲部、直線部よりなるアームおよび、回転速度を自在に変えられるモーター部またこれらの動きを適格に竿先に伝える部品により、上下、左右、楕円運動という今までにない魚の誘いの動きを可能とし、釣果の増大また釣人の手動による誘いの手間を省き、釣りにおける煩わしさの軽減を図ることを可能とする。
【発明を実施するための最良の形態】
【０００６】誘いのための竿先の複雑な揺動運動を、最少の部品により簡便に実現した。
【実施例１】
【０００７】以下、本発明の実施例を図面に基づいて説明する。図１は、本揺動式自動魚釣装置を斜め上方より見た、全体図である。【０００８】図２は、電池はめこみ部、リール取付部、モーター、モーター回転調節装置、モーター回転用ギア、回転伝達用ギアつきカバーおよび、これらに接続したアームの下部分の外側カバーを取り外した図であり、これらが組み合わさって、竿先が揺動する。【０００９】図３は、アームの、竿との接続部分までの内部の構造の図であり、アーム１６が中空の自在回転部品１３の中を回転する。【００１０】図４は、ギア付きカバーより付き出したアーム部の基部の図であり、この突き出し部分は、ギア付きカバーと一体となり、アームの回転を安定させる。【００１１】図５は、竿とアームとの接続部分の図であり、この竿先１２を自在回転部品１３に差し込み固定することにより、アームの動きが竿先に伝達される。【００１２】図６は、アームおよび、それの先端、自在回転部品１３に接続した竿先の途中に装着するアームの動きをスムーズに竿先に伝えるための、２枚のプラスチック板の図であり、Ａのプラスチック板の上の大きめの穴を、回転しながらアームが通り、下の穴を糸が通る。またＢのプラスチック板の上の方の大きめの穴を、回転しながら竿先が通り、下の穴を糸が通る。ここにおいては、アーム、竿先は回転するが、プラスチック板自体は回転せず、アーム、竿先の動きにより上下、左右、楕円状に動くだけであるため、２枚のプラスチック板の下の穴を通る糸が、アーム、竿先にからまることはない。【００１３】図７は、竿の先端部にプラスチック板が抜け落ちないように接着した球および、中を竿先が動くように、貫通した球、さらにその球が下にずり落ちないように止めるための輪の付い部分の図であり、プラスチック板の穴の部分を竿先自体は回転するが、プラスチック板は上下、左右楕円状に動きはするが、回転はしないため、糸が竿先にからまることはない。
【産業上の利用可能性】
【００１４】動きのある餌に魚の採餌欲が刺激されることを利用することにより、あらゆる水域での魚釣りにおいて、人工的に餌の動きをつくりだすことによって、釣果の増大を図ることができる。
【図面の簡単な説明】
【００１５】
【図１】本発明を斜め上方より見た全体図である。
【図２】本発明を各部に分解した図である。
【図３】アームの先端部の図である。
【図４】ギア付きカバーの先端部の図である。
【図５】竿先の、アームの先端部品との接続部の図である。
【図６】アーム、竿先に付けるプラスチック板部品の図である。
【符号の説明】
【００１６】  １      抜け防止用固定球
２．Ｂ  プラスチック板
３      自在回転球
４．Ａ  プラスチック板
５      自在回転球
６      ギア付カバー
７      電源スイッチ
８      電圧調節用回転板
９      電圧調節装置
１０      リール取付具（リールシート）
１１      電地交換用取り外し式カバー
１２      竿先
１３      自在回転部分
１４      止め
１５      止め
１６      アーム
１７      モーター取付ギア
１８      モーター
１９      コード
２０      コード
２１      通電用コイル
２２      電池はめこみ用金具
２３      モーターおよびギアカバー
２４      通電用コイル
２５      通電用コイル
２６      ギア
２７      減速用ギアセット
２８      減速用ギアセット台座
２９      クッション材
３０      通電用コイル
３１      電池はめこみ用金具
３２      自在回転球
３３      止め
３４      止め
３５      自在回転板
【図１】
0005189408.tif 000002
【図２】
0005189408.tif 000003
【図３】
0005189408.tif 000004
【図４】
0005189408.tif 000005
【図５】
0005189408.tif 000006
【図６】
0005189408.tif 000007